【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
画像データを管理するサーバ装置と、画像供給装置とにネットワークを介して接続する情報処理装置であって、
前記サーバ装置を指定するサーバ指定手段と、
前記サーバ指定手段によって指定された前記サーバ装置に接続するサーバ接続手段と、
前記サーバ装置における、前記画像データ及び少なくとも当該画像データの更新情報を管理するＲＳＳファイルを含む管理データのアップロード場所を示すアドレス情報を、前記サーバ接続手段で接続された前記サーバ装置から取得する取得手段と、
前記サーバ装置で利用可能な前記ＲＳＳファイルの情報を含むサーバ情報を前記サーバ装置から取得するサーバ情報取得手段と、
前記サーバ情報と前記アドレス情報とを用いて前記画像供給装置が前記サーバ装置と通信するための設定情報を生成する設定情報生成手段と、
前記設定情報生成手段で生成された前記設定情報を前記画像供給装置に出力するための設定情報出力手段と、
を有することを特徴とする情報処理装置。
【請求項２】
前記画像供給装置は、撮像装置を含むことを特徴とする請求項１に記載の情報処理装置。
【請求項３】
前記サーバ情報は、前記サーバ装置で利用可能な前記ＲＳＳファイルの形式及びテンプレート情報の少なくともいずれかを含み、
前記設定情報生成手段は、前記サーバ装置で利用可能な前記ＲＳＳファイルの形式及びテンプレート情報の少なくともいずれかを含む前記設定情報を生成することを特徴とする請求項１または２に記載の情報処理装置。
【請求項４】
前記サーバ指定手段で指定された前記サーバ装置に接続するためのユーザ情報を入力するためのユーザ情報入力手段をさらに含み、
前記アドレス情報は、前記ユーザ情報に対応した画像データ及び少なくとも当該画像データの更新情報を管理するＲＳＳファイルを含む前記管理データの、前記サーバ装置におけるアップロード場所を示すことを特徴する請求項１乃至３のいずれか１項に記載の情報処理装置。
【請求項５】
前記ユーザ情報はユーザアカウント情報を含み、
前記設定情報は、前記サーバ装置で利用可能な前記管理データに含まれる前記ＲＳＳファイルの形式及びテンプレート情報の少なくともいずれか、前記管理データのファイル名、前記管理データのアップロード場所を示すアドレス情報、画像データのアップロード場所を示すアドレス情報、及びユーザアカウント情報を含むように生成されることを特徴とする請求項４に記載の情報処理装置。
【請求項６】
前記ＲＳＳファイルの形式は、ＲＳＳ又はＡｔｏｍシンディケーションデータのフォーマット情報とバージョン情報とを含むことを特徴とする請求項１乃至５のいずれか１項に記載の情報処理装置。
【請求項７】
前記サーバ装置にアップロードされた前記画像データを閲覧させる閲覧者に関する閲覧者情報を入力する閲覧者情報入力手段と、
前記サーバ情報と前記アドレス情報と前記閲覧者情報を用いて、個々の閲覧者が所定の装置を用いて前記サーバ装置と通信するための閲覧者設定情報を生成する閲覧者設定情報生成手段と、
前記閲覧者設定情報を前記個々の閲覧者に通知する通知手段と、
を更に有することを特徴とする請求項１乃至６のいずれか１項に記載の情報処理装置。
【請求項８】
前記閲覧者情報は、閲覧者のメールアドレスを含み、
前記通知手段は、前記個々の閲覧者の前記閲覧者設定情報を、前記メールアドレスを用いてメールで通知することを特徴とする請求項７に記載の情報処理装置。
【請求項９】
前記閲覧者情報は、前記個々の閲覧者に対応した前記管理データのアップロード場所を示すアドレス情報と、前記管理データに含まれる前記ＲＳＳファイルの形式及びテンプレート情報の少なくともいずれかを示す情報とを含むことを特徴とする請求項７または８に記載の情報処理装置。
【請求項１０】
画像データを管理するサーバ装置と画像供給装置とにネットワークを介して接続する情報処理装置の制御方法であって、
サーバ指定手段が、前記サーバ装置を指定するサーバ指定工程と、
サーバ接続手段が、前記サーバ指定工程で指定された前記サーバ装置に接続するサーバ接続工程と、
取得手段が、前記サーバ装置における、前記画像データ及び少なくとも当該画像データの更新情報を管理するＲＳＳファイルを含む管理データのアップロード場所を示すアドレス情報を、前記サーバ接続工程で接続された前記サーバ装置から取得する取得工程と、
サーバ情報取得手段が、前記サーバ装置で利用可能な前記ＲＳＳファイルの情報を含むサーバ情報を前記サーバ装置から取得するサーバ情報取得工程と、
設定情報生成手段が、前記サーバ情報と前記アドレス情報とを用いて前記画像供給装置が前記サーバ装置と通信するための設定情報を生成する設定情報生成工程と、
設定情報出力手段が、前記設定情報生成工程で生成された前記設定情報を前記画像供給装置に出力するための設定情報出力工程と、
を有することを特徴とする情報処理装置の制御方法。
【請求項１１】
コンピュータを、画像データを管理するサーバ装置と、画像供給装置とにネットワークを介して接続する情報処理装置として機能させるプログラムであって、前記コンピュータを、
前記サーバ装置を指定するサーバ指定手段と、
前記サーバ指定手段によって指定された前記サーバ装置に接続するサーバ接続手段と、
前記サーバ装置における、前記画像データ及び少なくとも当該画像データの更新情報を管理するＲＳＳファイルを含む管理データのアップロード場所を示すアドレス情報を、前記サーバ接続手段で接続された前記サーバ装置から取得する取得手段と、
前記サーバ装置で利用可能な前記ＲＳＳファイルの情報を含むサーバ情報を前記サーバ装置から取得するサーバ情報取得手段と、
前記サーバ情報と前記アドレス情報とを用いて前記画像供給装置が前記サーバ装置と通信するための設定情報を生成する設定情報生成手段と、
前記設定情報生成手段で生成された前記設定情報を前記画像供給装置に出力するための設定情報出力手段と、を有する情報処理装置として機能させることを特徴とするプログラム。
【手続補正２】
【補正対象書類名】明細書
【補正対象項目名】０００８
【補正方法】変更
【補正の内容】
【０００８】
上記目的を達成するために本発明の一態様に係る情報処理装置は以下のような構成を備える。即ち、
画像データを管理するサーバ装置と、画像供給装置とにネットワークを介して接続する情報処理装置であって、
前記サーバ装置を指定するサーバ指定手段と、
前記サーバ指定手段によって指定された前記サーバ装置に接続するサーバ接続手段と、
前記サーバ装置における、前記画像データ及び少なくとも当該画像データの更新情報を管理するＲＳＳファイルを含む管理データのアップロード場所を示すアドレス情報を、前記サーバ接続手段で接続された前記サーバ装置から取得する取得手段と、
前記サーバ装置で利用可能な前記ＲＳＳファイルの情報を含むサーバ情報を前記サーバ装置から取得するサーバ情報取得手段と、
前記サーバ情報と前記アドレス情報とを用いて前記画像供給装置が前記サーバ装置と通信するための設定情報を生成する設定情報生成手段と、
前記設定情報生成手段で生成された前記設定情報を前記画像供給装置に出力するための設定情報出力手段と、を有することを特徴とする。
【手続補正３】
【補正対象書類名】明細書
【補正対象項目名】０００９
【補正方法】変更
【補正の内容】
【０００９】
上記目的を達成するために本発明の一態様に係る情報処理装置の制御方法は以下のような工程を備える。即ち、
画像データを管理するサーバ装置と画像供給装置とにネットワークを介して接続する情報処理装置の制御方法であって、
サーバ指定手段が、前記サーバ装置を指定するサーバ指定工程と、
サーバ接続手段が、前記サーバ指定工程で指定された前記サーバ装置に接続するサーバ接続工程と、
取得手段が、前記サーバ装置における、前記画像データ及び少なくとも当該画像データの更新情報を管理するＲＳＳファイルを含む管理データのアップロード場所を示すアドレス情報を、前記サーバ接続工程で接続された前記サーバ装置から取得する取得工程と、
サーバ情報取得手段が、前記サーバ装置で利用可能な前記ＲＳＳファイルの情報を含むサーバ情報を前記サーバ装置から取得するサーバ情報取得工程と、
設定情報生成手段が、前記サーバ情報と前記アドレス情報とを用いて前記画像供給装置が前記サーバ装置と通信するための設定情報を生成する設定情報生成工程と、
設定情報出力手段が、前記設定情報生成工程で生成された前記設定情報を前記画像供給装置に出力するための設定情報出力工程と、を有することを特徴とする。